(57)【要約】【課題】着磁ヘッドの断面サイズを小型化する。各工場の金属検出機の上手で現稼動するベルコンへのセッティングを簡単にする。セットする相手機のベルコンの振動を受けない、またベルトの高さや位置に対して磁石の配置を効率よく選択できるようにする。【解決手段】一列配置の複数の磁石を、断面形が略コの字状の高透磁性部材で被い、これら全体をステンレスやアルミなどの低透磁性材でなる筒状またはボックス状の容器に収納した着磁ヘッドとする。接地部と、立上げ部と、該立上げ部から張出して取付けられた、一列配置の複数の磁石を収めた着磁部からなり、着磁部の作用幅及び地上高の調整機能を備えた自立型着磁機とする。【選択図】  図２
2004309149.tif 000002
【特許請求の範囲】
【請求項１】
一列配置の複数の磁石を、断面形が略コの字状の高透磁性部材で被い、これら全体をステンレスやアルミなどの低透磁性材でなる筒状または長手方向の一面が開閉のボックス状の容器に収納したことを特徴とする金属検出機用の着磁ヘッド。
【請求項２】
接地部と、立上げ部と、該立上げ部に水平方向に取付けた一列配置の複数の磁石を収めた着磁部からなり、着磁部の作用幅及び地上高の調整機能を備えたことを特徴とする金属検出機用自立型着磁機。
【発明の詳細な説明】
【０００１】
【発明の属する技術分野】
食品等金属検出機の感度向上のため、検出部（サーチコイル）の前段階にあるベルトコンベアーのベルト上で着磁する装置（磁気帯びを増強）に関する。
【０００２】
【従来の技術】
形態および使用面から次の二つの問題がある。（イ）図１のＤ参照。従来使用の着磁ヘッド（着磁部と言う場合もある）は、側面と上面へ強い磁力が作用しないように、磁石７と化粧ボックス５との距離空間はベルト方向のみを小さくし、他の方向は大きくしている。これにより、作業員が手にしている工具吸着などの不測の事故を予防している。（ロ）また一つのベルトコンベアーに、検出機と着磁ヘッドの両者を同居搭載している。これはベルトコンベアーの機長にもよるが、センサーコイルと磁石の間の距離が不足し、磁石がセンサーコイルに干渉するため誤作動の原因になりやすい。
【０００３】
【発明が解決しようとする課題】
本発明は上記の短所を改善するもので、課題は次の通り。（イ）着磁ヘッドの断面サイズを小型化するとともに、着磁ヘッドへの吸着事故を予防する。（ロ）検出部と着磁ヘッドをそれぞれ別途のベルトコンベアーに分離搭載し、磁石によるノイズ弊害を無くす。そしてこれを容易に実施するため、金属検出機の上手で現在稼動しているベルトコンベア―各機種への着磁機のセッティングを簡単にする。（ハ）検出誤作動を無くすため、着磁ヘッドが、セットする相手となるベルトコンベア―の振動を受けないようにする。（ニ）セットする相手機のベルトの高さや位置に対して、着磁ヘッドの位置を効率よく調整できるようにする。
【０００４】
【課題を解決するための手段】
請求項１相当。一列配置の複数の磁石を、断面形が略コの字状の高透磁性部材で被い、これら全体をステンレスやアルミなどの低透磁性材でなる筒状または長手方向の一面が開閉するボックス状の容器に収納した金属検出機用の着磁ヘッドとする。
【０００５】
請求項２相当。接地部と、立上げ部と、該立上げ部に水平方向に取付けた一列配置の複数の磁石を収めた着磁部からなり、着磁部の作用幅及び地上高の調整機能を備えた金属検出機用自立型着磁機とする。
【０００６】
【発明の実施の形態】
図１参照。Ａ図は着磁ヘッド４の全体構成を示す姿図である。複数の磁石７を所定の間隔をとって一列にシールドボックス６に収めて、該シールドボックス６を筒状の化粧ボックス５に挿入する。各磁石７の固定は、間仕切りや詰め物などの適度な補助材を使用するほか、磁石セル１１を使用してもよい。磁石セル１１は、磁石の個々を入れるセルが設けているもので、これに固定してからシールドボックス６に収める。また化粧ボックス５の端には、柱３への取り付け部として、差込み穴１２が設けられている。なお柱３と差込み穴１２の形状は、正四角、円、十字などとして、差込みの方向に自由性を持たせている。図２参照。またネジ止め部９を多面にまた上下方向に複数設けて、取り付けの地上高や方向を選択できるようにしている。
【０００７】
材質や作用について説明する。磁石セル１１は磁石の個々を所定の間隔で固定するものである。磁気を外部へ放出させるために、材質はアルミ、樹脂、ステンレスなどの透磁率の低い材質とする。
【０００８】
シールドボックス６は、下方以外への磁気の放出を抑えるための「ヨーク」である。材質としてはパーマロイや鉄などの高透磁率のものとする。また磁気飽和を起こさないように必要な厚さを確保する。上方へ伸びる磁気はシールドボックス６の内部を進み、コの字の耳の部分から出て磁石７の異極へと戻るため、上方や側面へ貫通する磁気は減少する。この作用により磁石７と化粧ボックス５の距離空間を小さくしてボックス全体の断面サイズを小型化し、着磁に必要な下方面だけに磁気を放出させ、横面と上面の吸着力を小さくして工場作業員等による不測の吸着事故を予防することができる。
【０００９】
化粧ボックス５は、磁石７とシールドボックス６を一まとめにするもので、材質は透磁率の低いステンレス、アルミ、樹脂などの錆のないものとする。全体的な形状としては、筒状として端部から磁石を挿入するもの、蓋着きの平ボックス状などとする。
【００１０】
作用幅と磁石強度の調整について説明する。化粧ボックス５とシールドボックス６は略同じ長さとするが、磁石７の配置は全長にする必要はない。セットする相手のベルトとの位置関係を考慮し、磁石を作用させるに必要な幅と位置に配置すればよい。磁石セル１１を使用する場合も同じである。収める磁石の個数や位置を選択し、必要最小限の強度や作用幅を選択すればよい。
【００１１】
図２参照。ベルト１０を、上下二本の着磁ヘッド４で挟んだ状態を示している。アジャスター１は、床面に対するガタつきをなくす機能である。フーチング２は、転倒に対する安全性を確保するに必要な幅や重量を確保する。柱３はフーチング２の端に着脱可能形態で立ち上げている。Ｅ図参照。自立型着磁機をベルトコンベアーに横からセットした状態を示す。フーチング２の概形は略「コ」の字型となっており、セッティング相手機の脚を抱き込んで内側に位置させることができる。これにより、多くの機種に対して希望する自由な位置へのセッティングが容易となる。なおフーチング概形の他例としては四角又は略円形などとし、相手機の脚を取り込みながら自由な位置選択ができる形態とする。また柱３はベルト進行方向でフーチング２に対して偏心させている。セッティング相手機に横側から差し込む時に相手機の脚が障害となるのを避け、着磁ヘッド４が適切な位置へ近づくように、差し込みの位置や方向を選択できるようにしている。
【００１２】
差込み穴１２は、柱３の外に嵌めて上下自由に高さを選択できるように、ネジ穴を周囲の複数面に、また上下方向に複数設けている。ネジに限らず他の方法で固定しても良い。支柱の断面は正四角形としており、着磁ヘッド４が左右前後どの方向に向いても嵌め込み可能で固定できる。設置現場の状況によって、着磁ヘッド４が適切な位置になるように方向を選択できる。
【００１３】
図１のＡ図参照。柱３の断面型を「円」と「十字」にしてもよい。差込み穴１２もこれに対応する形とすると、取付けの方向に自由性を持たせることが出来る。図２参照。また本発明は、着磁ヘッド４を片持ち梁形式に設けてセッティングの便利性を確保しているものであるが、ベルト幅が特に大きくなる場合は、着磁ヘッド４とフーチング２を補助固定材８で止めて安定を確保してもよい。
【００１４】
着磁ヘッド４を上下二本配置する場合は、磁石の同極を向き合わせてセットするのがよい。二本の間の全ての空間に対して着磁効果がよい。
【００１５】
またアジャスター１などの接地部や、着磁ヘッド４と柱３との取り付け部には、ゴム材などを用いて地面の振動が着磁ヘッド４に伝わらないようにしノイズの発生を抑える。
【００１６】
図３参照。フーチング２と柱３は着脱可能で取付けしている。取付け方法はネジ込み、ボルト止めなどとする。柱３と吊り桁１４の取付けは、地上高の調整ができるように複数のネジ止め部９を設けている。吊り桁１４は左右の柱３を固定すると共に、着磁ヘッド４を取付ける役をなすもので、着磁ヘッド４の取付け位置を選択できるようにネジ止め部９を複数に設けている。なお取りつけ方法は特定するまでもなくパッチン錠などを用いてもよい。また左右の柱間隔が伸縮により調整出来るようにしてもよい。またフーチング２は概形が「Ｈ」の字状であるため、凹部にセッティング相手機の脚を位置させることにより、着磁ヘッドの位置を希望に近づけることができる。
【００１７】
【発明の効果】
請求項１対応。ヨークの効果により磁石の作用を一方向に特化する。このため他の３方向では磁石と外ボックスの距離区間を少なくしても吸着の危険が減る。従ってボックス全体の小型化が達成され、また作業員等の吸着事故の予防にもなる。また着磁ヘッドの全長の範囲において、磁石の個数や配置を選択することにより、磁石の作用幅や強度を調整できる。
【００１８】
請求項２対応。（イ）自立型の場合はベルトコンベア−と非接触にできるため、ベルトコンベアー自体の振動を受けない。このため磁石の振動による磁気ノイズの発生がない。（ロ）自立型の場合は、既存するベルトコンベア−への自由な位置へのセッティングが簡単にできるため、現稼動している多くの機種へのセットが可能となる。このため、検出機と着磁機の同居搭載の設計を分離搭載に変更することにより、検出部と磁石の距離確保が容易となり検出誤作動を減少させることができる。また距離の確保が自由となるため、同居搭載では使用を避けていた強力な磁石の採用も可能となり着磁効果の向上が容易に果たせる。（ハ）着磁部の地上高の調整が容易に出来る。また磁石列の作用幅と水平方向の位置が、磁石配置の選択により調整できる便利性がある。
【図面の簡単な説明】
【図１】本発明と従来技術の着磁ヘッドの構造図である。
【図２】張出し型自立着磁機の構造図である。
【図３】跨ぎ型自立着磁機の構造図である。
【符号の説明】
１  アジャスター
２  フーチング
３  柱
４  着磁ヘッド
５  化粧ボックス
６  シールドボックス
７  磁石
８  補助固定材
９  ネジ止め部
１０  ベルト
１１  磁石セル
１２  差込み穴
１３  蓋
１４  吊り桁
【図１】
2004309149.tif 000003
【図２】
2004309149.tif 000004
【図３】
2004309149.tif 000005